(57)【特許請求の範囲】
【請求項１】
手摺笠木を壁面等の設置基部に固定するブラケット本体と、
ブラケット本体を包囲するように覆うブラケットカバーとを有し、
前記ブラケットカバーは相互に連結可能で、かつ、ブラケット本体の表面凹凸部に当接して位置決め可能な複数の分割カバーにより形成され、
前記分割カバー同士は、他方の側縁部に対し連結される一方の側縁部からブラケット本体に面する側に向けて突設される係止フックを前記一方の側縁部に対し連結される他方の側縁部から前記係止フックよりもブラケット本体側に片持梁状に延設されてブラケット本体に面する側に向けて弾性変形可能な舌片に形成される係止孔に係止して連結されるとともに、ブラケット本体の笠木支持片に開設される透孔内および笠木支持片の側縁外方に挿通可能な一方と他方の連結補助杆であって、直杆状の連結補助杆に形成された一方の連結補助杆が、中空筒形状とした他方の連結補助杆に嵌合して位置決めされ、
かつ、前記分割カバーの連結部には、前記舌片を臨む小孔が開設され、
小孔からピン状の工具により舌片をブラケット本体に面する側に向けて押圧して前記係止孔と前記係止フックとの係合解除操作を可能にした手摺ブラケット。
【請求項２】
前記ブラケットカバーは一方の連結辺に係止フックを備え、対向辺に係止孔を備えた同一形状の分割カバーを連結して形成される請求項１記載の手摺ブラケット。
【請求項３】
前記舌片は、分割カバーの側縁部のブラケット本体に面する側の壁面から枝分かれして形成され、
舌片と外殻との間には、挿入された係止フックによって舌片をブラケット本体に面する側に弾性変形させるフック挿入間隙が形成される請求項１または２記載の手摺ブラケット。
【発明の詳細な説明】
【０００１】
【発明が属する技術分野】
本発明は手摺ブラケットに関するものである。
【０００２】
【従来の技術】
手摺笠木を壁面等の設置基部に沿って配設する際に使用される手摺ブラケットとしては、従来特開平９−２９６５７９号公報に記載されたものが知られている。この従来例において、手摺ブラケットはブラケット本体とブラケット本体を覆うブラケットカバーとからなる。ブラケットカバーは複数のブラケットカバー部材からなり、各ブラケットカバー部材は係止爪をブラケット本体に形成された係止凹部に係止させて固定される。
【０００３】
【発明が解決しようとする課題】
しかし、上述した従来例には以下の欠点がある。すなわち、各ブラケットカバー部材はブラケット本体を基準に固定されるものであるから、ブラケットカバー部材をブラケット本体に装着した状態でブラケットカバー同士の連結部に隙間を生じないようにするには、係止爪と係止凹部の寸法、すなわち、ブラケットカバーとブラケット本体の双方の寸法を正確に管理する必要があり、製造効率が悪い。
【０００４】
また、ブラケットカバーの脱落を防止するための係止凹部はブラケットカバー部材の装着方向に対して直交する方向に凹んでいる必要がある。このため、例えば、ブラケット本体を上記ブラケットカバー部材の装着方向を型割り方向とする金型を使用して射出成形する場合には、型割り方向にアンダーカットとなる係止凹部を形成するためにスライド中子等を使用することが必要となって金型の構造が複雑になり、製造コストが上昇する。
【０００５】
さらに、係止凹部は意匠的要素を無視してブラケット本体の表面部に配置されるために、例えば、ブラケットカバーを装着しない状態では使用することができない。
【０００６】
加えて、係止爪と係止凹部の配置を考慮すると、ブラケット本体に対して合致するブラケットカバー部材が予め設定されることとなるために、ブラケット本体の種類に応じてブラケットカバーの種類も多くなり、製品の管理が面倒になる。
【０００７】
さらに、手摺ブラケットにおいては、長期使用による固定ナットの緩みを点検作業によって修復する必要があるが、ブラケットカバーで固定ナットを覆っている場合、ブラケットカバーを取り外さなければならない。しかし、ブラケットカバーを外力により変形させて、係止を解除する従来の係止構造では、使用時に外力を受けて脱落するおそれがある反面、係止構造を強化すれば、取り外しが困難になり、ブラケットカバーが破損する問題がある。
【０００８】
本発明は、以上の欠点を解消すべくなされたもので、製造が簡単で、かつ、安価な手摺ブラケットの提供を目的とする。
【０００９】
【課題を解決するための手段】
本発明によれば上記目的は、
手摺笠木１を壁面等の設置基部２に固定するブラケット本体３と、
ブラケット本体３を包囲するように覆うブラケットカバー４とを有し、
前記ブラケットカバー４は相互に連結可能で、かつ、ブラケット本体３の表面凹凸部５に当接して位置決め可能な複数の分割カバー６により形成され、
前記分割カバー６同士は、他方の側縁部に対し連結される一方の側縁部からブラケット本体３に面する側に向けて突設される係止フック７を前記一方の側縁部に対し連結される他方の側縁部から前記係止フック７よりもブラケット本体３側に片持梁状に延設されてブラケット本体３に面する側に向けて弾性変形可能な舌片９に形成される係止孔８に係止して連結されるとともに、ブラケット本体３の笠木支持片３ｂに開設される透孔３ｃ内および笠木支持片３ｂの側縁外方に挿通可能な一方と他方の連結補助杆６ｂであって、直杆状の連結補助杆６ｂに形成された一方の連結補助杆６ｂが、中空筒形状とした他方の連結補助杆６ｂに嵌合して位置決めされ、
かつ、前記分割カバー６の連結部には、前記舌片９を臨む小孔１４が開設され、
小孔１４からピン状の工具により舌片９をブラケット本体３に面する側に向けて押圧して前記係止孔８と前記係止フック７との係合解除操作を可能にした手摺ブラケットを提供することにより達成される。
【００１０】
ブラケット本体３を包囲することにより該ブラケット本体３を覆うブラケットカバー４は複数の分割カバー６を連結して構成される。分割カバー６同士は互いに連結可能であり、ブラケット本体３に係止することなく、例えば筒形状を維持してブラケット本体３を覆うことができる。筒形状をなしたブラケットカバー４はブラケット本体３の表面凹凸部５に当接することにより位置決めされ、ブラケット本体３に対するずれが防止される。
【００１１】
したがって本発明において、分割カバー６単体、正確には分割カバー６単体の連結部の寸法精度を管理するだけで、ブラケット本体３への装着時の連結部における隙間、あるいは目地幅の不均一等の発生を完全に防止することができる。
【００１２】
また、ブラケット本体３には分割カバー６を係止するための係止凹部等を形成する必要がなく、さらに、分割カバー６の位置決めはブラケット本体３表面の凹凸を利用して行われるために、成型金型が簡易になる上に、好みの意匠に形成することができるために、顧客の好みにより、ブラケットカバー４を使用しない状態でも使用することができる。
【００１３】
さらに、複数の分割カバー６はブラケット本体３がなくても相互に連結することができるために、異なったブラケット本体３でも覆うことができるために、部品を共用することができる。
【００１４】
また、分割カバー６同士は一方からブラケット本体３に面する側に向けて突設される係止フック７を他方の係止孔８に係止して連結され、かつ、係止孔８はブラケット本体３に面する側に向けて弾性変形可能な片持梁状の舌片９に形成される。
【００１５】
この構成において、一方の分割カバー６の係止フック７を他方の分割カバー６の係止孔８に係止させた状態で分割カバー６を内方に撓ませると、係止フック７に押されて弾性変形可能な舌片９も係止フック７の移動に追随して内方に撓む。この結果、ブラケットカバー４に悪戯で、あるいは過って押し付け力が付加されても不用意に分割カバー６間の連結が解除されることがなく、ブラケットカバー４の脱落を確実に防止できる。
【００１６】
請求項２に係る発明において、ブラケットカバー４は同一形状の分割カバー６を連結して形成される。分割カバー６は他の分割カバー６に対応する辺縁の一方に係止フック７を備え、対向辺に係止孔８を備えており、ブラケット本体３を囲むように対向配置すると、係止フック７が形成される側の辺縁が係止孔８形成側の辺縁に対面する。
【００１７】
したがって本発明によれば、一種類の分割カバー６を用意するだけでブラケットカバー４を構成することができるために、製造、管理工数を低減させることができる。
【００１８】
さらに、分割カバー６の連結部には、舌片９を臨む小孔１４が開設され、該小孔１４からピン状の工具により舌片９をブラケット本体３に面する側に撓ませることにより分割カバー６の連結を解除できる。
【００１９】
したがってこの構成において、外力により分割カバー６が変形しても係止フック７と舌片９が係合状態で追随して変形し、不用意に脱落しない構造であるとともに、点検作業等の必要時には小孔１４より例えばピン状の工具を挿入して舌片９のみを変形させて係止フック７との係合を容易に解除できるために、使い勝手、とりわけメインテナンス性が向上する。
【００２０】
【発明の実施の形態】
図１に本発明に係る手摺ブラケットを含む手摺装置を示す。手摺装置は水平方向に配設される手摺笠木１（横笠木１ａ）と、縦方向に配設される手摺笠木１（縦笠木１ｂ）をコーナージョイント１０で連結して形成される。この実施の形態において、手摺笠木１は図２（ｂ）に示すように、金台１ｃのほぼ全長に渡って合成樹脂製の被覆材１ｄを外嵌して形成され、横笠木１ａは横笠木用ブラケット１２を介して壁面（設置基部２）に固定される。
【００２１】
横笠木用ブラケット１２は壁面２に固定され、金台１ｃの溝部１ｅに嵌合、固定されて手摺笠木１を下方から支持する横笠木用ブラケット本体１２ａと、横笠木用ブラケット本体１２ａを覆って固定片１２ｃの壁面２への固定用ボルト、ナット１２ｄの露出を防ぐ横笠木用ブラケットカバー１２ｂとからなる。
【００２２】
一方、縦笠木１ｂは本発明による手摺ブラケットにより壁面２に固定される。手摺ブラケットは縦笠木１ｂの中間部を支持するブラケット本体３と、ブラケット本体３を包囲するようにして覆い隠すブラケットカバー４とから構成される。図２に示すように、ブラケット本体３は壁面２への固定片３ａと、固定片３ａの中心部から垂直に立設される笠木支持片３ｂとを有し、笠木支持片３ｂの先端部を金台１ｃの溝部１ｅに嵌合、固定して縦笠木１ｂを支持する。図１に示すように、ブラケット本体３は縦笠木１ｂの長手方向中心線に対して対称形状を有しており、設置後に手摺を正面から見た際にブラケット本体３が縦手摺の陰に隠れるように構成される。なお、図２において２ａは壁面２に埋設されたアンカーボルト、２ｂは固定用のナットを示す。
【００２３】
図３に示すように、ブラケットカバー４は同一形状の一対の分割カバー６、６を縦笠木１ｂの長手方向中心線に一致する分割面で連結して形成される。分割カバー６は図５に示すように、底縁部がブラケット本体３の固定片３ａの外周に一致する半割りの中空長円柱錐形状に形成され、内壁面２にブラケット本体３の固定片３ａの側壁に設けられる凹部５ａと固定片３ａの上縁５ｂにより形成される表面凹凸部５を挟持可能な一対の位置決め片６ａ、６ａと、ブラケット本体３の笠木支持片３ｂに開設される透孔３ｃ内と笠木支持片３ｂの側縁外方を挿通可能な２本の連結補助杆６ｂ、６ｂが突設される。連結補助杆６ｂの一方は直杆状に形成され、他方は上記直杆状の連結補助杆６ｂが挿入可能な中空筒形状に形成される。
【００２４】
したがってこの実施の形態において、２個の分割カバー６をブラケット本体３を包むように対向させると、図４（ａ）に示すように、位置決め片６ａがブラケット本体３の表面凹凸部５を挟み付けるとともに、ブラケット本体３の透孔３ｃを挿通した一方の直杆状の連結補助杆６ｂは対向する他の中空筒形状の連結補助杆６ｂに嵌合し、位置決めされる。なお、この実施の形態において分割カバー６には、後述するように、ブラケットカバー４を装着しない状態で使用する際に主として意匠上の配慮からブラケット本体３に設けられる凹部５ａと透孔３ｃを位置決め部として利用する場合が示されているが、位置決め部としては、ブラケット本体３に形成される他の凹凸、例えば固定片３ａの上縁５ｂに形成される段部を利用することもできる。
【００２５】
以上のように位置決めされた分割カバー６、６同士を連結するために、分割カバー６の一方の側縁（分割線）に内方に向けて突出する係止フック７が、他方には係止孔８が設けられる。図５に示すように、係止孔８は側縁部の内壁から枝別れした舌片９に開設されており、舌片９と外郭６ｃとの間にはフック挿入間隙６ｄが形成される。
【００２６】
これら係止フック７と係止孔８は底縁から同一高さ位置に形成されており、２個の分割カバー６を対向させた時には一方の係止フック７が他方の係止孔８に対応する。この状態で２個の分割カバー６の分割面を押し付けると、フック挿入間隙６ｄに進入した係止フック７により舌片９が一旦弾性変形した後、原位置に復帰し、係止フック７が係止孔８に係止する。この結果、図４（ｂ）に示すように両側縁（分割面）において係止フック７が係止孔８に係止することとなり、連結方向への分離が禁止される。また、この状態で分割カバー６に図４（ｂ）において矢印方向の負荷を加えても、舌片９と係止フック７はともに負荷方向に弾性変形するために、係止が解除されることはない。
【００２７】
さらに、この実施の形態は、分割カバー６の連結解除手段を備える。上述したように、分割カバー６同士は一旦連結状態となると、分割カバー６への外力の負荷によっては分離できない。連結解除手段は、点検作業、あるいは分割カバー６の取り替え等、必要なときに分割カバー６同士の連結を解除することができるように設けられるもので、図５（ａ）に示すように、分割カバー６の辺縁に切欠６ｅを設けることにより形成される。切欠６ｅは図６（ａ）、（ｂ）に示すように、分割カバー６同士を連結した状態において分割カバー６の連結部に形成される目地部４ａに開口する小孔１４を形成する。この小孔１４は舌片９を臨む位置に形成され、図６（ｃ）に示すように、ピン状の工具１５を差し込むことにより舌片９のみを押圧することができる。
【００２８】
したがってこの実施の形態において、小孔１４から工具１５を差し込んで舌片９を押圧すると、舌片９に形成された係止孔８も内方に後退して係止フック７と係止孔８との係止状態が解除され、この後、分割カバー６を分離方向にスライドさせると、簡単に分割カバー６を取り外せる。
【００２９】
したがって、この実施の形態によれば、手摺ブラケットにより縦笠木１ｂを固定した後、ブラケット本体３を包むようにして一対の分割カバー６、６を連結するだけで、ブラケット本体３を覆い隠すことができ、一旦連結状態となったブラケットカバー４は不用意に分離することがない。また、点検作業等、必要なときにはいつでも分割カバー６を分離することができる。
【００３０】
さらに、ブラケット本体３には分割カバー６を固定するための不要な連結部が形成されていないために、適宜の表面処理を施すことにより、露出状態で使用しても意匠的な違和感がない。このため、利用者の好みに応じて図３に示すブラケットカバー４を使用する仕様と、図２に示す使用しない仕様を適宜使い分けることができるために、製品種を実質的に増やすことができる。
【００３１】
なお、以上の説明においては、ブラケットカバー４によりブラケット本体３の全体を覆う場合を示したが、図７に示すように、縦笠木１ａの設置基部２からの設置高さを調整するために、台座部３ｄを有するブラケット本体３を使用する場合には、その一部を覆うように構成することもできる。
【００３２】
【発明の効果】
以上の説明から明らかなように、本発明によれば、分割カバーの連結部を密着させたり、あるいは連結部に適宜間隔をあけて目地を形成する場合であっても、分割カバーの係止フックと係止孔の位置関係を管理するだけで、確実に分割カバー同士を密着、あるいは目地幅を均一にすることができるために、製造効率が向上する。
【００３３】
また、ブラケット本体には係止フックへの係止部を形成する必要がなく、ブラケット本体を意匠的要請のみを考慮した形状に仕上げることができるために、ブラケットカバーを装着しなくとも見苦しくなく、製品バリエーションを高めることができる。
【図面の簡単な説明】
【図１】手摺装置を示す図で、（ａ）は壁面正面から見た図、（ｂ）は（ａ）の右側面図である。
【図２】ブラケット本体のみを使用して縦笠木を固定した状態を示す図で、（ａ）は側面図、（ｂ）は（ａ）の２Ｂ−２Ｂ線断面図である。
【図３】ブラケットカバーを装着した状態を示す図で、（ａ）は図１（ｂ）の３Ｂ−３Ｂ線断面図、（ｂ）は図３（ａ）の側面図である。
【図４】分割カバーの連結状態を示す図で、（ａ）は図３（ｂ）の４Ａ−４Ａ線断面図、（ｂ）は分割カバー同士の連結部を示す要部断面図である。
【図５】分割カバーを示す図で、（ａ）は裏面を図４（ａ）の５Ａ方向から見た裏面図、（ｂ）は（ａ）の５Ｂ方向矢視図である。
【図６】連結解除手段を示す図で、（ａ）は図３（ａ）の６Ａ部拡大図、（ｂ）は図６（ａ）の６Ｂ−６Ｂ線断面図、（ｃ）は工具で舌片を押圧した状態を示す断面図、（ｄ）は分割カバーが分離した状態を示す図である。
【図７】図４の変形例を示す図である。
【符号の説明】
１        手摺笠木
２        設置基部
３        ブラケット本体
４        ブラケットカバー
５        表面凹凸部
６        分割カバー
７        係止フック
８        係止孔
９        舌片
１４      小孔
【図１】
0004090591.tif 000002
【図２】
0004090591.tif 000003
【図３】
0004090591.tif 000004
【図４】
0004090591.tif 000005
【図５】
0004090591.tif 000006
【図６】
0004090591.tif 000007
【図７】
0004090591.tif 000008